(57)【要約】      （修正有）【課題】一部材で、目地材を床スラブや床スラブ上に敷設した断熱材等に固定することができ、また、目地材用キャップの高さ位置を固定することができ、更に、作業性の良い目地材の固定具を提供する。【解決手段】方形状ピン板の両端縁を該ピン板の一面側に向けて曲折した平行な２列の係止縁を有し、該平行な２列の係止縁は、略同一高さで相対向しており、該平行な２列の係止縁の間に複数本のピンが並設されていることを特徴とする目地材の固定具である。【選択図】図１
0003147057.tif 000002
【実用新案登録請求の範囲】
【請求項１】
方形状ピン板の両端縁を該ピン板の一面側に向けて曲折した平行な２列の係止縁を有し、
該平行な２列の係止縁は、略同一高さで相対向しており、
該平行な２列の係止縁の間に複数本のピンが並設されていることを特徴とする目地材の固定具。
【請求項２】
方形状ピン板が、長方形であり、長辺側に係止縁を有することを特徴とする請求項１に記載の目地材の固定具。
【請求項３】
ピンが、３本から成っており、相対向する係止縁の中間位置において該係止縁と平行に並設されていることを特徴とする請求項１又は２に記載の目地材の固定具。
【請求項４】
固定具が、目地材のキャップ高さを調節する用途と目地材の台座部を固定する用途とを併せ有することを特徴とする請求項１〜３のいずれかに記載の目地材の固定具。
【考案の詳細な説明】
【技術分野】
【０００１】
本考案は、目地材の固定具に関し、詳しくは、目地材を床スラブや床スラブ上に敷設した断熱材等に固定し、目地材用キャップの高さ位置を固定するために用いられる目地材の固定具に関する。
【背景技術】
【０００２】
従来から、目地材を床スラブや床スラブ上に敷設した断熱材等に固定し、又は目地材用キャップの高さ位置を固定するために用いられる目地材の固定具が種々提案されている。
【０００３】
特許文献１に記載の技術は、目地材用キャップの高さ位置を固定するために用いられるものであって、基板の面にピンが設けられており、該基板の片端部に係止片が設けられた目地材の固定具である。
【０００４】
特許文献２に記載の技術は、目地材を床スラブや床スラブ上に敷設した断熱材等に固定する止具と、目地材用キャップの高さ位置を固定するために用いられる止具とがそれぞれ用意されており、その形状は、前者は基板の面にピンが設けられており該基板の片端部に係止片が設けられたもので、後者は前記係止片が無い目地材の固定具である。
【０００５】
【特許文献１】実開昭５９−１９７３５
【特許文献２】特開平０９−７２０４９
【考案の開示】
【考案が解決しようとする課題】
【０００６】
しかし、特許文献１に記載の技術では、目地材を床スラブや床スラブ上に敷設した断熱材等に固定する用途に使用することが考慮されておらず、更に作業性が悪いという問題点を有している。
【０００７】
また、特許文献２に記載の技術では、目地材を床スラブや床スラブ上に敷設した断熱材等に固定する止具と、目地材用キャップの高さ位置を固定するために用いられる止具とで別部材を選択し使用しなければならず、作業が煩雑になるという問題点を有している。
【０００８】
そこで、本考案の課題は、一部材で、目地材を床スラブや床スラブ上に敷設した断熱材等に固定し、目地材用キャップの高さ位置を固定することができ、更に作業性の良い目地材の固定具を提供することにある。
【課題を解決するための手段】
【０００９】
上記課題を解決する本考案は、下記構成を有する。
１．方形状ピン板の両端縁を該ピン板の一面側に向けて曲折した平行な２列の係止縁を有し、該平行な２列の係止縁は、略同一高さで相対向しており、該平行な２列の係止縁の間に複数本のピンが並設されていることを特徴とする目地材の固定具。
【００１０】
２．方形状ピン板が、長方形であり、長辺側に係止縁を有することを特徴とする前記１に記載の目地材の固定具。
【００１１】
３．ピンが、３本から成っており、相対向する係止縁の中間位置において該係止縁と平行に並設されていることを特徴とする前記１又は２に記載の目地材の固定具。
【００１２】
４．固定具が、目地材のキャップ高さを調節する用途と目地材の台座部を固定する用途とを併せ有することを特徴とする前記１〜３のいずれかに記載の目地材の固定具。
【考案の効果】
【００１３】
前記１に記載の考案によれば、一部材で、目地材を床スラブや床スラブ上に敷設した断熱材等に固定し、目地材用キャップの高さ位置を固定することができる目地材の固定具を提供することができる。
しかも、平行な２列の係止縁が略同一高さで相対向しているため、目地材を床スラブや床スラブ上に敷設した断熱材等に固定する際に、ピンを床スラブ等に対して垂直に刺し込み固定することができ、更に、目地材用キャップの高さ位置を固定する際には、いずれかの係止縁がキャップの端部を係止すればよいため、ピンの刺し込み方向を気にせず作業することができ、作業性の良い目地材の固定具を提供することができる。
【００１４】
前記２に記載の考案によれば、前記１に記載の考案による効果を、より簡単な構成で達成することができる。
【００１５】
前記３に記載の考案によれば、より確実な固定性を有する目地材の固定具を提供することができる。
【００１６】
前記４に記載の考案によれば、一部材で目地材を床スラブや床スラブ上に敷設した断熱材等に固定し、目地材用キャップの高さ位置を固定することができる作業性の良い目地材の固定具を提供することができる。
【実施例】
【００１７】
本考案に係る目地材の固定具の詳細について、添付の図面に基づき説明する。
【００１８】
図１は、本考案に係る目地材の固定具の一実施例を表す斜視図、
図２は、図１に表す目地材の固定具の６面図（背面図は正面図と、右側面図は左側面図とそれぞれ対称に表れるため省略する。）、
図３は、本考案に係る目地材の固定具の使用状態を表す説明図、
図４は、本考案に係る目地材の固定具を床スラブ上に敷設した断熱材に刺し込んだ状態を表す説明図、
図５は、本考案に係る目地材の固定具を目地材用キャップの高さ位置を固定するために使用した状態を表す説明図である。
【００１９】
図１及び図２に示すように、本考案に係る目地材の固定具１は、方形状のピン板１１、係止縁１２及びピン１３から構成される。
【００２０】
ピン板１１は、方形状であれば、正方形でも、長方形でも、平行四角形でも良いが、両端縁に係止縁１２を平行に設けるため、少なくとも相対向する２辺が平行でなければならない。
また、ピン板１１に、係止縁１２と複数のピン１３とを設けるため、その形状は長方形であることが好ましい。
【００２１】
ピン板１１の大きさに限定はないが、目地材２又は目地材用キャップ３の大きさや施工の容易性の観点から、辺の長さがいずれの辺も１〜１０ｃｍであることが好ましく、係止縁１２が設けられる辺の長さは２〜１０ｃｍ程度であることがより好ましい。
また、ピン板１１の厚さに限定はないが、０．１〜０．５ｃｍ程度であることが好ましい。
【００２２】
係止縁１２は、ピン板１１の両端縁を該ピン板１１の一面側に向けて曲折したもので、２列を平行とし、その高さは略同一で、相対向して形成される。
また、係止縁１２は、方形状のピン板１１のいずれの辺に形成しても良いが、ピン板１１を長方形とする場合は、目地材用キャップ３の係止片３１を確実に係止するため、長辺側に形成することが好ましい。
【００２３】
係止縁１２は、ピン板１１の両端縁を曲折したものであればその形状に限定はないが、ピン板１１の面に垂直に曲折することが好ましい。
【００２４】
ピン１３は、ピン板１１の一面であって、平行な２列の係止縁１２の間に形成される。
また、ピン１３は、目地材２等に刺し込んだ後に回動することを防止するため複数本で構成され、特に、３本のピンを相対向する係止縁１２の中間位置において該係止縁１２と平行に並設することが好ましい。
【００２５】
ピン１３の形状は、先端が鋭利なものであれば特に限定はないが、ピン１３を目地材等に刺し込んだ後に抜け落ちることを防止すべく、先端部分が軸部よりも径が大きい円錐型であることが好ましい。
【００２６】
本考案に係る目地材の固定具１は、その製造方法を特に問わないが、合成樹脂によって成形し、一体構成とすることが好ましい。また、例えば、ピン板１１と係止縁１２とを一体で成形し、別に成形したピン１３を、ピン板１１と接着・溶着等の公知の手段によって取付けることもできる。
【００２７】
目地材の固定具１は、コンクリート打設時に、目地材が所定位置から移動することを防止し（第一の用途）、目地材に取付けた目地材用キャップ３が脱落又は所定の上下位置から移動することを防止（第二の用途）するためのものである。
本考案に係る目地材の固定具１は、従来は、目地材２を床スラブや床スラブ上に敷設した断熱材３等に固定する固定具と、目地材用キャップ３の高さ位置を固定する固定具とは別部材であったが、これらの２つの用途を一部材で併せ発揮することができ、更にその作業性にも改良を加えたものである。
【００２８】
第一の用途における目地材の固定具１は、図３及び図４に示すように、ピン１３で目地材２の台座部２１を貫通し、床スラブ上に敷設した断熱材４等に刺し込むことによって使用する。
これにより、コンクリート打設時に、目地材が所定位置から移動することを防止することができる。
【００２９】
また、ピン１３を深く刺し込んだ際に、目地材の台座部２１と係止縁１２とが接触するが、平行な２列の係止縁１２は略同一高さであるため、目地材の固定具１は、そのピン板が目地材の台座部と平行に保たれ、係止縁１２が１箇所の場合に比して設置後の安定性が高い。
【００３０】
第二の用途における目地材の固定具１は、図３及び図５に示すように、ピン１３を目地材２の壁部２２に刺し込み、係止縁１２を目地材用キャップ３の係止片３１に係止することによって使用する。
これにより、目地材に取付けた目地材用キャップ３が脱落又は所定の上下位置から移動することを防止することができる。
【００３１】
また、係止縁１２が、相対向した辺に平行に形成されていることから、取付け方向の上下がなく、施工時において取付け方向を確認して作業を行う手間が省けることから、作業
性が良い。仮に、一方の係止縁１２が損壊したとしても、もう一方の係止縁１２を利用して作業が可能である。
【図面の簡単な説明】
【００３２】
【図１】本考案に係る目地材の固定具の一実施例を表す斜視図
【図２】図１に表す目地材の固定具の６面図
【図３】本考案に係る目地材の固定具の使用状態を表す説明図
【図４】本考案に係る目地材の固定具を床スラブ上に敷設した断熱材に刺し込んだ状態を表す説明図
【図５】本考案に係る目地材の固定具を目地材用キャップの高さ位置を固定するために使用した状態を表す説明図
【符号の説明】
【００３３】
１    目地材の固定具
１１    ピン板
１２    係止縁
１３    ピン
１３ａ    先端部
１３ｂ    軸部
２    目地材
２１    台座部
２２    壁部
３    目地材用キャップ
３１    キャップの係止片
４    断熱材
【図１】
0003147057.tif 000003
【図２】
0003147057.tif 000004
【図３】
0003147057.tif 000005
【図４】
0003147057.tif 000006
【図５】
0003147057.tif 000007